【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
方法であって、
ユーザに関連付けられたクライアント・コンピューティング・デバイスが、オンライン・サービスのコンテンツアイテムに関する入力を受信する工程であって、前記クライアント・コンピューティング・デバイスは、前記入力が受信されるときに前記オンライン・サービスから遮断される、前記受信する工程と、
前記クライアント・コンピューティング・デバイスが、前記入力に基づいて前記コンテンツアイテムを部分的に格納するか、または部分的に格納されたコンテンツアイテムを前記オンライン・サービスのオフラインバージョンにおいて変更する工程と、
前記クライアント・コンピューティング・デバイスが、前記コンテンツアイテムが前記オンライン・サービスのオフラインバージョンにポストされた時刻を決定する工程と、
前記クライアント・コンピューティング・デバイスが、前記クライアント・コンピューティング・デバイスが前記オンライン・サービスに接続されたとき、前記コンテンツアイテムを前記オンライン・サービスに自動的にアップロードする工程であって、前記コンテンツアイテムが前記オンライン・サービスのオフラインバージョンにポストされた時刻と他のコンテンツアイテムに関連する時刻との比較に基づいて前記オンライン・サービスによって格納された複数の他のコンテンツアイテムに関連して決定された位置にアップロードされたコンテンツアイテムが挿入される、前記アップロードする工程と
を備える方法。
【請求項２】
部分的に格納されたコンテンツを修正する工程は、
前記コンテンツアイテムを編集すること、
前記コンテンツアイテムを消去すること、または
前記コンテンツアイテムを追加すること
の１つもしくは複数を含む、請求項１に記載の方法。
【請求項３】
前記オンライン・サービスは、ソーシャルネットワーキング・システムを含み、前記ソーシャルネットワーキング・システムは、複数のノード及び前記複数のノードを接続する複数のエッジを含むグラフを含み、前記グラフにおける少なくとも１つのノードは、前記ユーザに対応する、請求項１に記載の方法。
【請求項４】
前記グラフの少なくとも１つの他のノードは、１人もしくは複数の他のユーザの各々に対応しており、前記ユーザに対応する前記複数のノードの少なくとも１つ、及び前記他のユーザの１人に対応する前記複数のノードの少なくとも１つは、１つもしくは複数のエッジによって互いに接続されている、請求項３に記載の方法。
【請求項５】
前記自動的にアップロードされたコンテンツアイテムは、ソーシャル・ネットワークの１人または複数の他のユーザに表示される通知に関連付けられる、請求項４に記載の方法。
【請求項６】
アップロードされたコンテンツアイテムを閲覧するか、または相互作用する前記オンライン・サービスの１人もしくは複数の他のユーザを識別するプライバシー設定を前記アップロードされたコンテンツアイテムに関連付ける工程を更に備える、請求項１に記載の方法。
【請求項７】
前記アップロードされたコンテンツアイテムは、１つもしくは複数の画像を含み、前記他のコンテンツアイテムは、１つもしくは複数の以前にアップロードされた画像を含む、請求項１に記載の方法。
【請求項８】
前記コンテンツアイテムが前記オンライン・サービスのオフラインバージョンにポストされた時刻における前記クライアント・コンピューティング・デバイスの位置を決定する工程と、
前記位置を前記アップロードされたコンテンツアイテムに関連付ける工程とを更に備える、請求項１に記載の方法。
【請求項９】
前記クライアント・コンピューティング・デバイスが、前記ユーザによって少なくとも部分的に決定された設定に基づいて、クライアント・デバイスを前記オンライン・サービスに接続するかどうかを決定する工程をさらに含む、請求項１に記載の方法。
【請求項１０】
前記設定は、
前記クライアント・コンピューティング・デバイスと前記オンライン・サービスとの間の接続、
前記オンライン・サービスにアップロードされたデータ量、または
前記アップロードされたコンテンツの種類
の１つもしくは複数に基づく、請求項９に記載の方法。
【請求項１１】
前記アップロードされたコンテンツアイテムおよび前記複数の他のコンテンツアイテムの少なくとも１つは、それらの相対位置に対応する順序で表示される、請求項１に記載の方法。
【請求項１２】
ソフトウェアを実装するコンピュータ読み取り可能で非一時的な１つもしくは複数の記憶媒体であって、前記ソフトウェアは、実行されたときに、
クライアント・コンピューティング・デバイスのユーザからオンライン・サービスのコンテンツアイテムに関する入力を受信し、ここで、前記クライアント・コンピューティング・デバイスは、前記入力が受信されるときに前記オンライン・サービスから遮断され、
前記入力に基づいて前記コンテンツアイテムを部分的に格納するか、または部分的に格納されたコンテンツアイテムを前記オンライン・サービスのオフラインバージョンにおいて変更し、
前記コンテンツアイテムが前記オンライン・サービスのオフラインバージョンにポストされた時刻を決定し、
前記クライアント・コンピューティング・デバイスが前記オンライン・サービスに接続されたとき、前記コンテンツアイテムを前記オンライン・サービスに自動的にアップロードするように動作可能であり、ここで、前記コンテンツアイテムが前記オンライン・サービスのオフラインバージョンにポストされた時刻と他のコンテンツアイテムに関連する時刻との比較に基づいて前記オンライン・サービスによって格納された複数の他のコンテンツアイテムに関連して決定された位置にアップロードされたコンテンツアイテムが挿入される、媒体。
【請求項１３】
前記オンライン・サービスは、ソーシャルネットワーキング・システムを含み、前記ソーシャルネットワーキング・システムは、複数のノード及び前記複数のノードを接続する複数のエッジを含むグラフを含み、前記グラフにおける少なくとも１つのノードは、前記ユーザに対応する、請求項１２に記載の媒体。
【請求項１４】
前記グラフの少なくとも１つの他のノードは、１人もしくは複数の他のユーザの各々に対応しており、前記ユーザに関連する前記ノードの少なくとも１つ、及び前記他のユーザの１人に対応する前記ノードの少なくとも１つは、１つもしくは複数のエッジによって互いに接続されている、請求項１３に記載の媒体。
【請求項１５】
前記自動的にアップロードされたコンテンツアイテムは、ソーシャル・ネットワークの１人または複数の他のユーザに表示される通知に関連付けられる、請求項１４に記載の媒体。
【請求項１６】
前記ソフトウェアは、実行されたときに、アップロードされたコンテンツアイテムを閲覧するか、または相互作用する前記オンライン・サービスの１人もしくは複数の他のユーザを識別するプライバシー設定を前記アップロードされたコンテンツアイテムに関連付けように更に動作可能である、請求項１２に記載の媒体。
【請求項１７】
前記ソフトウェアは、実行されたときに、
前記コンテンツアイテムが前記オンライン・サービスのオフラインバージョンにポストされた時刻における前記クライアント・コンピューティング・デバイスの位置を決定し、
前記位置を前記アップロードされたコンテンツアイテムに関連付けるように動作可能である、請求項１２に記載の媒体。
【請求項１８】
システムであって、
１つもしくは複数のプロセッサと、
前記プロセッサと接続され、前記プロセッサによって実行可能な命令を含むメモリとを備え、
前記プロセッサは、命令を実行するときに、
クライアント・コンピューティング・デバイスのユーザからオンライン・サービスのコンテンツアイテムに関する入力を受信し、ここで、前記クライアント・コンピューティング・デバイスは、前記入力が受信されるときに前記オンライン・サービスから遮断され、
前記入力に基づいて前記コンテンツアイテムを部分的に格納するか、または部分的に格納されたコンテンツアイテムを前記オンライン・サービスのオフラインバージョンにおいて変更し、
前記コンテンツアイテムが前記オンライン・サービスのオフラインバージョンにポストされた時刻を決定し、
前記クライアント・コンピューティング・デバイスが前記オンライン・サービスに接続されたとき、前記コンテンツアイテムを前記オンライン・サービスに自動的にアップロードするように動作可能であり、前記コンテンツアイテムが前記オンライン・サービスのオフラインバージョンにポストされた時刻と他のコンテンツアイテムに関連する時刻との比較に基づいて前記オンライン・サービスによって格納された複数の他のコンテンツアイテムに関連して決定された位置にアップロードされたコンテンツアイテムが挿入される、システム。
【請求項１９】
方法であって、
オンライン・サービスに関連付けられたサーバコンピューティング・デバイスが、該オンライン・サービスのコンテンツアイテムに関してなされた入力に対応するデータをクライアント・デバイスから受信する工程であって、前記入力は前記クライアント・デバイスが前記オンライン・サービスから遮断された時間中に前記クライアント・デバイスに提供されたものである、前記受信する工程と、
前記サーバコンピューティング・デバイスが、前記コンテンツアイテムを格納するか、または前記データに基づいて前記コンテンツアイテムの格納されたインスタンスを変更する工程と、
前記サーバコンピューティング・デバイスが、前記クライアント・デバイス上に格納された前記オンライン・サービスのオフラインバージョンに前記コンテンツアイテムがポストされた時刻を決定する工程と、
前記サーバコンピューティング・デバイスが、前記オンライン・サービスによって格納された複数の他のコンテンツアイテムに関連して決定された位置を格納されたコンテンツアイテムと関連付ける工程であって、前記位置は、前記コンテンツアイテムが前記オンライン・サービスのオフラインバージョンにポストされた時刻と他のコンテンツアイテムに関連する時刻との比較に基づく、前記決定する工程と
を備える方法。
【請求項２０】
格納されたコンテンツアイテムのインスタンスを変更する工程は、
前記コンテンツアイテムを編集すること、
前記コンテンツアイテムを消去すること、または
前記コンテンツアイテムを追加すること
の１つもしくは複数を含む、請求項１９に記載の方法。
【請求項２１】
前記オンライン・サービスは、ソーシャルネットワーキング・システムを含み、前記ソーシャルネットワーキング・システムは、複数のノード及び前記複数のノードを接続する複数のエッジを含むグラフを含み、前記グラフにおける少なくとも１つのノードは、ユーザに対応する、請求項１９に記載の方法。
【請求項２２】
前記グラフの少なくとも１つの他のノードは、１人もしくは複数の他のユーザの各々に対応しており、前記ユーザに対応する前記複数のノードの少なくとも１つ、及び前記他のユーザの１人に対応する前記複数のノードの少なくとも１つは、１つもしくは複数のエッジによって互いに接続されている、請求項２１に記載の方法。
【請求項２３】
格納または変更されたコンテンツアイテムは、ソーシャル・ネットワークの１人または複数の他のユーザに表示される通知に関連付けられる、請求項２１に記載の方法。
【請求項２４】
前記データは、アップロードされたコンテンツアイテムを閲覧するか、または相互作用する前記オンライン・サービスの１人もしくは複数の他のユーザを識別するプライバシー設定を含む、請求項１９に記載の方法。
【請求項２５】
格納または変更されたコンテンツアイテムは、１つもしくは複数の画像を含み、前記他のコンテンツアイテムは、１つもしくは複数の以前にアップロードされた画像を含む、請求項１９に記載の方法。
【請求項２６】
前記サーバコンピューティング・デバイスが、前記コンテンツアイテムが前記オンライン・サービスのオフラインバージョンにポストされた時刻における前記クライアントデバイスの位置を識別する情報を受信する工程と、
前記位置を格納または変更されたコンテンツアイテムに関連付ける工程とを更に備える、請求項１９に記載の方法。
【請求項２７】
前記格納されたコンテンツアイテムおよび前記複数の他のコンテンツアイテムの少なくとも１つは、それらの相対位置に対応する順序で表示される、請求項１９に記載の方法。